(57)【要約】【課題】水引は細い紐であるため、伝統工芸技術を駆使して水引を手で結っても、その構成物は透けてしまい密集させた装飾体を作ることはできない。これを透けて見えないようにするには、従来、その構成物を重ねるなどしても平面的になるため、これを直立させるためにワイヤーで縛って実現することも可能ではあったが、ワイヤーが見えたりして見栄えが良くない。【解決手段】水引を一定の長さに切断して切断した水引を作り、前記切断した水引を１本のまま又は２本又は３本と多数本接して並べて接着し略中間部分で折り曲げ、折り曲げた水引の集まりを作り、各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体を提供する。【選択図】図２
2015164791.tif 000002
【特許請求の範囲】
【請求項１】
水引を一定の長さに切断して切断した水引を作り、前記切断した水引を１本のまま又は２本又は３本と多数本接して並べて接着し略中間部分で折り曲げ、折り曲げた水引の集まりを作り、各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体。
【請求項２】
水引を一定の長さに切断して切断した水引を作り、前記切断した水引を１本のまま又は２本又は３本と多数本接して並べて接着し略中間部分で折り曲げ、折り曲げた水引の集まりを作り、折り曲げた水引の集まり毎にグループを作り、一グループには長さが一定の集まりのグループ又は長さが不揃いな集まりのグループにして多グループ化して、前記多グループ化したグループ毎に各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体。
【請求項３】
前記折り曲げた水引の集まり内では同一色又は多色又はグラデーションの配色にしたことを特徴とする請求項１に記載の装飾体。
【請求項４】
前記一グループ内では同一色又は多色又はグラデーションの配色にしたことを特徴とする請求項２に記載の装飾体。
【請求項５】
請求項１乃至４に記載のいずれかの装飾体において、前記保持用ワイヤーの差し込み切らない部分で球形、多角形の構造物に差し込んだことを特徴とする立体装飾体。
【発明の詳細な説明】
【技術分野】
【０００１】水引を使用して造形する花等の装飾体及びその装飾体を使った立体型の装飾体に関する。
【背景技術】
【０００２】特許文献１にはプリザーブドフラワーと造形した水引を組み合わされて開示され、水引の造形には日本固有の伝統工芸技術を使うことが記載されている。
【先行技術文献】
【特許文献】
【０００３】
【特許文献１】特開２００９−１０１６２３
【発明の概要】
【発明が解決しようとする課題】
【０００４】上記に記載した特許文献１では、水引の造形には日本固有の伝統的工芸技術を要することから作業者の熟練が必要である。また、プリザーブドフラワーを使用することからコスト高も発生し、その用途は自ずとブーケ、コザージュ、或いはアレンジメントに限定される。
また、水引は細い紐であるため、伝統工芸技術を駆使して水引を手で結っても、その構成物は透けてしまい密集させた装飾体を作ることはできない。これを透けて見えないようにするには、従来、その構成物を重ねるなどしても平面的になるため、これを直立させるためにワイヤーで縛って実現することも可能ではあったが、ワイヤーが見えたりして見栄えが良くない。
【課題を解決するための手段】
【０００５】  第一の発明は、折り曲げた水引と両面テープを用いて、装飾物をつくる手段を提供する。
水引を一定の長さに切断して切断した水引を作り、前記切断した水引を１本のまま又は２本又は３本と多数本接して並べて接着し略中間部分で折り曲げ、折り曲げた水引の集まりを作り、各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体を提供する。【０００６】第二の発明は、折り曲げた水引の集まりに着目してより密集した装飾体を作る手段を提供する。
水引を一定の長さに切断して切断した水引を作り、前記切断した水引を１本のまま又は２本又は３本と多数本接して並べて接着し略中間部分で折り曲げ、折り曲げた水引の集まりを作り、折り曲げた水引の集まり毎にグループを作り、一グループには長さが一定の集まりのグループ又は長さが不揃いな集まりのグループにして多グループ化して、前記多グループ化したグループ毎に各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体を提供する。【０００７】第三の発明は、第一の発明に色を着色した装飾体を作る手段を提供する。
折り曲げた水引の集まり内では、同一色又は多色又はグラデーションの配色にして装飾体を作る手段を提供する。【０００８】第四の発明は、第二の発明に色を着色した装飾体を作る手段を提供する。
一グループ内では同一色又は多色又はグラデーションの配色にして装飾体を作る手段を提供する。【０００９】第五の発明では、第一から第四の発明で作ったいずれかの装飾体において、保持用ワイヤーの差し込み切らない部分で球形、多角形の構造物に差し込んだことを特徴とする立体装飾体を作る手段を提供する。
【発明の効果】
【００１０】以上の製法は、水引の日本固有の伝統的技術を必要としないため、熟練を要せず、容易に花やこの花を使った装飾体、更には立体装飾体を制作することができ、低コストで提供することができる。【００１１】また、水引の長さや色の変化、部分的な着色によって、装飾体にはデザイン性の巾が広がる。【００１２】本発明の造形物は、花に限定されないため、汎用性が高い。
【図面の簡単な説明】
【００１３】
【図１】ある長さで切断した水引（ａは１本のまま、ｂは２本接して並べて接着、ｃはｎ本接して並べて接着、これらを略中間部分で折り曲げる。）
【図２】切断した水引を略中間部分で折り曲げてグループ化し両面テープの接着面に順次略直角に接着した図
【図３】水引を巻き取ってできた花を示す
【図４】巻き取ってできた花を広げた状態を示す
【図５】本発明によってできた花の応用例
【発明を実施するための形態】
【００１４】以下は、花の例を用いて説明する。
図１はある一定の長さに切断した水引１が１本の場合ａ、２本の場合ｂ、ｎ本の場合ｃを略中間部分で折り曲げた状態を示す。
【００１５】図２は図１のａ（水引が１本の場合）で作成方法を示す。
水引をある一定の長さに切断し、切断した水引を略中間部で折り曲げ、折り曲げた水引の集まりを作り、各々折り曲げた両端部を両面テープの粘着部分５（両面テープ３の剥離紙４１を剥がした面）に順次略直角に接着させる。
水引の長さは長い長さのグループ２１、中間の長さの集まり２２、短い長さの集まり２３のように段階的に長さを変えたグループを順番に並べる。本例では長い長さの集まり２１、中間の長さの集まり２２、短い長さの集り２３の順に並べた図となっているが、順番はこれにこだわらない。また、本例では段階的に長さを変えたグループとしているが、同じグループの中で不揃いな長さににしても良く、グループ間でも長さは段階的でなくても良く、不揃いでもかまわない。
水引の色は、全てが同じ色の場合、長さのグループごとに違う場合、長さのグループには関係なく違う色の組み合わせで作成することができる。また白い水引に染色して、１本の水引の中に多色又はグラデーションの配色をすることも可能である。
【００１６】図３は図２の両面テープ３の両面テープの剥離紙４２を剥がして両面テープの右端３２から巻き取ってできた花である。図３に示した写真は両面テープ３の右端３２から巻き始めているので外側が長い長さの水引の集まり２１で構成されているが、両面テープの左端３１から巻き始めてもよい。その場合は内側が長い長さの水引の集まり２１で構成されるため図２までは共通でも違った花としての装飾体となる。
【００１７】図４は図３の巻き取ってできた花の水引を中央から放射線状に広げて作成した装飾体である。
【００１８】巻き取ってできた図４の花の後部に保持用ワイヤーを差し込み（図は省略）、差し込み切らない部分を残し、その残ったワイヤーを使って球形の構造物に差し込んで図５に示すような花の塊の球形に応用できる。尚、本例は球形の構造物としたが多角形の構造物でもよい。
【符号の説明】
【００１９】１  切断した水引
２  切断した水引を略中間部で折り曲げた水引の集まり
２１  長い長さの集まり
２２  中間の長さの集まり
２３  短い長さの集まり
３    両面テープ
３１  両面テープの左端
３２  両面テープの右端
４１，４２    両面テープの剥離紙
５  両面テープの粘着部分
【図１】
2015164791.tif 000003
【図２】
2015164791.tif 000004
【図３】
2015164791.tif 000005
【図４】
2015164791.tif 000006
【図５】
2015164791.tif 000007
【手続補正書】
【提出日】平成27年2月14日(2015.2.14)
【手続補正１】
【補正対象書類名】特許請求の範囲
【補正対象項目名】全文
【補正方法】変更
【補正の内容】
【特許請求の範囲】
【請求項１】
水引を一定の長さに切断して切断した水引を作り、前記切断した水引を１本のまま又は２本又は３本と多数本接して並べて接着し略中間部分で折り曲げ、折り曲げた水引の集まりを作り、各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体。
【請求項２】
水引を一定の長さに切断して切断した水引を作り、前記切断した水引を１本のまま又は２本又は３本と多数本接して並べて接着し略中間部分で折り曲げ、折り曲げた水引の集まりを作り、折り曲げた水引の集まり毎にグループを作り、一グループには長さが一定の集まりのグループ又は長さが不揃いな集まりのグループにして多グループ化して、前記多グループ化したグループ毎に各々折り曲げた両端部を両面テープの接着面に順次略直角に接着させ、該両面テープの右端又は左端のいずれか一方から巻き始め、折り曲げた両端部側から保持ワイヤーを差し込み、差し込み切らない部分を残したことを特徴とする装飾体。
【請求項３】
前記折り曲げた水引の集まり内では同一色又は多色又はグラデーションの配色にしたことを特徴とする請求項１に記載の装飾体。
【請求項４】
前記一グループ内では同一色又は多色又はグラデーションの配色にしたことを特徴とする請求項２に記載の装飾体。
【請求項５】
請求項１乃至４に記載のいずれかの装飾体において、前記保持用ワイヤーの差し込み切らない部分で球形、多角形の構造物に差し込んだことを特徴とする立体装飾体。
【請求項６】
水引を一定の長さに切断して切断した水引を作り、前記切断した水引を１本のまま又は２本又は３本と多数本接して並べて接着し略中間部分で折り曲げ、折り曲げた水引の集まりを作り、各々折り曲げた両端部を両面テープの接着面に順次略直角に接着させ、該両面テープの右端又は左端のいずれか一方から巻き取ったことを特徴とする装飾体。
【請求項７】
水引を一定の長さに切断して切断した水引を作り、前記切断した水引を１本のまま又は２本又は３本と多数本接して並べて接着し略中間部分で折り曲げ、折り曲げた水引の集まりを作り、折り曲げた水引の集まり毎にグループを作り、一グループには長さが一定の集まりのグループ又は長さが不揃いな集まりのグループにして多グループ化して、前記多グループ化したグループ毎に各々折り曲げた両端部を両面テープの接着面に順次略直角に接着させ、該両面テープの右端又は左端のいずれか一方から巻き取ったことを特徴とする装飾体。
【請求項８】
前記折り曲げた水引の集まり内では同一色又は多色又はグラデーションの配色にしたことを特徴とする請求項６に記載の装飾体。
【請求項９】
前記一グループ内では同一色又は多色又はグラデーションの配色にしたことを特徴とする請求項７に記載の装飾体。